(57)【特許請求の範囲】
【請求項１】
プラスチックフィルムの送り経路において、Ｖ型熱刃および熱刃受けを前記プラスチックフィルムの一方の側縁に対応する位置に設け、前記Ｖ型熱刃を前記熱刃受けの上方に配置し、前記プラスチックフィルムの一方の側縁を前記Ｖ型熱刃と前記熱刃受け間に通し、前記Ｖ型熱刃を前記プラスチックフィルムに向かって下降させ、前記プラスチックフィルムおよび前記熱刃受けに押し付け、前記Ｖ型熱刃によって前記プラスチックフィルムの一方の側縁を溶断し、前記プラスチックフィルムの一方の側縁にＶ状ノッチを形成するようにした製袋機のＶ状ノッチかす処理装置であって、
前記熱刃受けの上面を被覆し、実質上前記プラスチックフィルムの幅方向にのび、前記プラスチックフィルムの一方の側縁を横切り、前記送り経路の外側に張出したエンドレスベルトと、
前記送り経路の外側において、前記Ｖ型熱刃に対応する位置に設けられ、前記エンドレスベルトの上方に配置され、キャリジに支持されたへらと、
前記エンドレスベルトの下側において、前記へらに対向するよう配置され、前記キャリジに支持されたへら受けと、
前記キャリジに連結され、前記キャリジを駆動し、前記キャリジ、前記へらおよび前記へら受けを前記エンドレスベルトに沿って往復移動させ、前記プラスチックフィルムの一方の側縁が溶断され、前記Ｖ状ノッチが形成されるとき、前記へらおよび前記へら受けを前記プラスチックフィルムの一方の側縁に向かって前進させ、前記プラスチックフィルムの一方の側縁の溶断後、前記へらおよび前記へら受けを前記プラスチックフィルムの一方の側縁から後退させるキャリジ駆動機構と、
前記キャリジに設けられ、前記へらに連結され、前記へらおよび前記へら受けの前進後、前記へらを前記Ｖ状ノッチのかすに向かって下降させ、前記Ｖ状ノッチのかす、前記エンドレスベルトおよび前記へら受けに押し付け、前記Ｖ状ノッチのかすおよび前記エンドレスベルトを前記へらと前記へら受け間に挟み付け、前記へらおよび前記へら受けが前記プラスチックフィルムの一方の側縁から後退するとき、前記へらおよび前記へら受けによって前記Ｖ状ノッチのかすおよび前記エンドレスベルトを引っ張り、これによって前記エンドレスベルトを駆動し、前記Ｖ状ノッチのかすを前記プラスチックフィルムから引き離し、前記へらおよび前記へら受けの後退後、前記へらを前記Ｖ状ノッチのかすから上昇させるへら駆動機構とからなる製袋機のＶ状ノッチかす処理装置。
【発明の詳細な説明】
【０００１】
【産業上の利用分野】
この発明は、プラスチック袋を製造する製袋機に関するものであり、特にそのＶ状ノッチかす処理装置に関するものである。
【０００２】
【従来技術とその問題点】
たとえば、食品のパンを収容するプラスチック袋を製造するとき、図４に示すように、プラスチックフィルム１が２層に重ね合わされ、その一方の側縁２が各層間に折り込まれ、これによっていわゆるガセット３が形成される。次いで、Ｖ型熱刃によってプラスチックフィルム１の一方の側縁２が溶断され、プラスチックフィルム１の一方の側縁２にＶ状ノッチ４が形成される。その後、これがＶ状ノッチ４の中心線５に沿って溶断される。これによってプラスチック袋が製造されるのは周知のとおりである。
【０００３】
Ｖ型熱刃については、プラスチックフィルム１の送り経路において、Ｖ型熱刃および熱刃受けがプラスチックフィルム１の一方の側縁２に対応する位置に設けられ、Ｖ型熱刃は熱刃受けの上方に配置される。そして、プラスチックフィルム１が間欠的に送られ、その一方の側縁２がＶ型熱刃と熱刃受け間に通され、プラスチックフィルム１の間欠送り毎に、Ｖ型熱刃がプラスチックフィルム１に向かって下降し、プラスチックフィルム１および熱刃受けに押し付けられる。したがって、Ｖ型熱刃によってプラスチックフィルム１の一方の側縁２が溶断され、これによってＶ状ノッチ４が形成されるものである。
【０００４】
ところで、プラスチックフィルム１の一方の側縁２を溶断し、Ｖ状ノッチ４を形成するには、溶断毎に、Ｖ状ノッチのかす６をプラスチックフィルム１から引き離し、排出する必要がある。したがって、これまで、溶断毎に、へらによってＶ状ノッチのかす６をたたき落とし、これを吸引ダクトに吸引していたが、Ｖ状ノッチのかす６が確実にたたき落とされるとは限らず、それがプラスチックフィルム１に付着し、そのまま送られることがあった。Ｖ状ノッチのかす６が吸引ダクトに吸引されるとき、それが確実に吸引されるとは限らず、Ｖ状ノッチのかす６が床面に落下することもある。Ｖ状ノッチのかす６によって吸引ダクトが詰まることもある。
【０００５】
【発明の目的】
したがって、この発明は、前記従来の問題を解決し、プラスチックフィルムの送り経路において、Ｖ型熱刃および熱刃受けをプラスチックフィルムの一方の側縁に対応する位置に設け、Ｖ型熱刃を熱刃受けの上方に配置し、プラスチックフィルムの一方の側縁をＶ型熱刃と熱刃受け間に通し、Ｖ型熱刃をプラスチックフィルムに向かって下降させ、プラスチックフィルムおよび熱刃受けに押し付け、Ｖ型熱刃によってプラスチックフィルムの一方の側縁を溶断し、プラスチックフィルムの一方の側縁にＶ状ノッチを形成するにあたって、Ｖ状ノッチのかすを的確に処理し、プラスチックフィルムから引き離し、排出することを目的としてなされたものである。
【０００６】
【発明の構成】
この発明によれば、エンドレスベルトによって熱刃受けの上面が被覆される。エンドレスベルトは実質上プラスチックフィルムの幅方向にのび、プラスチックフィルムの一方の側縁を横切り、その送り経路の外側に張出する。さらに、送り経路の外側において、へらがＶ型熱刃に対応する位置に設けられ、エンドレスベルトの上方に配置され、キャリジに支持され、エンドレスベルトの下側において、へら受けがへらに対向するよう配置され、キャリジに支持される。さらに、キャリジ駆動機構がキャリジに連結され、キャリジ駆動機構によってキャリジが駆動され、キャリジ、へらおよびへら受けがエンドレスベルトに沿って往復移動する。そして、プラスチックフィルムの一方の側縁が溶断され、Ｖ状ノッチが形成されるとき、へらおよびへら受けがプラスチックフィルムの一方の側縁に向かって前進し、プラスチックフィルムの一方の側縁の溶断後、へらおよびへら受けがプラスチックフィルムの一方の側縁から後退する。さらに、へら駆動機構がキャリジに設けられ、へらに連結され、へらおよびへら受けの前進後、へら駆動機構によってへらが駆動され、へらはＶ状ノッチのかすに向かって下降する。したがって、へらがＶ状ノッチのかす、エンドレスベルトおよびへら受けに押し付けられ、Ｖ状ノッチのかすおよびエンドレスベルトがへらとへら受け間に挟み付けられる。したがって、へらおよびへら受けがプラスチックフィルムの一方の側縁から後退するとき、へらおよびへら受けによってエンドレスベルトが引っ張られ、これによってエンドレスベルトが駆動され、Ｖ状ノッチのかすがプラスチックフィルムから引き離される。さらに、へらおよびへら受けの後退後、へら駆動機構によってへらが操作され、へらはＶ状ノッチのかすから上昇する。
【０００７】
【実施例の説明】
以下、この発明の実施例を説明する。
【０００８】
図１および図２において、これはプラスチック袋を製造する製袋機であり、プラスチックフィルム１の送り経路において、Ｖ型熱刃７および熱刃受け８がプラスチックフィルム１の一方の側縁２に対応する位置に設けられ、Ｖ型熱刃７は熱刃受け８の上方に配置されている。さらに、Ｖ型熱刃７がホルダ９に連結され、支持されており、ホルダ９はピン１０およびレバー１１に連結され、支持されている。レバー１１はピン１２に支持され、ピン１２のまわりを揺動することができ、ピン１３およびシリンダ１４に連結されている。したがって、シリンダ１４によってレバー１１を操作し、揺動させ、ホルダ９およびＶ型熱刃７を下降および上昇させることができる。一方、熱刃受け８はウレタンゴムで形成された上面を有し、フレームに固定されている。そして、プラスチックフィルム１の送り方向Ｘにおいて、プラスチックフィルム１が間欠的に送られ、その一方の側縁２がＶ型熱刃７と熱刃受け８間に通される。さらに、プラスチックフィルム１の間欠送り毎に、シリンダ１４によってレバー１１が操作され、揺動し、Ｖ型熱刃７がプラスチックフィルム１に向かって下降する。レバー１１のピン１２については、フレームに水平方向長みぞが形成され、ピン１２がそれに挿入されており、レバー１１の揺動にともない、ピン１２が水平方向長みぞに沿ってスライドし、Ｖ型熱刃７は垂直面に沿って下降する。
【０００９】
さらに、エンドレスベルト１５によって熱刃受け８の上面が被覆されている。エンドレスベルト１５はテフロンシートからなり、実質上プラスチックフィルム１の幅方向にのび、プラスチックフィルム１の一方の側縁２を横切り、その送り経路の外側に張出し、ガイドローラ１６に係合している。さらに、送り経路の外側において、へら１７がＶ型熱刃７に対応する位置に設けられ、エンドレスベルト１５の上方に配置され、キャリジ１８に支持されている。さらに、エンドレスベルト１５の下側において、へら受け１９がへら１７に対向するよう配置され、キャリジ１８に固定され、支持されている。
【００１０】
キャリジ１８はガイドレール２０に係合し、支持されており、ガイドレール２０に沿ってスライドし、往復移動することができる。ガイドレール２０はエンドレスベルト１５に平行にのびる。さらに、キャリジ駆動機構としてタイミングベルト２１が使用され、タイミングベルト２１はエンドレスベルト１５に平行にのび、駆動プーリ２２およびガイドプーリ２３に係合し、キャリジ１８に連結されており、駆動プーリ２２はモータ２４に連結されている。したがって、モータ２４によって駆動プーリ２２およびタイミングベルト２１を駆動すると、タイミングベルト２１によってキャリジ１８が引っ張られ、キャリジ１８がガイドレール２０およびエンドレスベルト１５に沿って往復移動する。したがって、へら１７およびへら受け１９もエンドレスベルト１５に沿って往復移動する。
【００１１】
さらに、へら駆動機構としてシリンダ２５が使用され、シリンダ２５はキャリジ１８に設けられ、へら１７に連結されている。この実施例では、へら１７がレバー２６に取り付けられ、固定され、ピン２７によってレバー２６とキャリジ１８が連結されており、レバー２６はピン２７およびキャリジ１８に支持され、ピン２７のまわりを揺動することができる。さらに、ピン２８によってレバー２６とシリンダ２５が連結されており、シリンダ２５はピン２９およびキャリジ１８に連結され、支持されている。したがって、シリンダ２５によってレバー２６を操作し、揺動させることができ、へら１７をレバー２６と一体的に揺動させ、下降および上昇させることができる。
【００１２】
したがって、この装置において、プラスチックフィルム１が間欠的に送られ、その一方の側縁２がＶ型熱刃７と熱刃受け８間に通されるが、エンドレスベルト１５によって熱刃受け８の上面が被覆されており、プラスチックフィルム１はそのエンドレスベルト１５上に配置される。さらに、プラスチックフィルム１の間欠送り毎に、Ｖ型熱刃７がプラスチックフィルム１に向かって下降し、Ｖ型熱刃７はプラスチックフィルム１、エンドレスベルト１５および熱刃受け８に押し付けられる。したがって、Ｖ型熱刃７によってプラスチックフィルム１の一方の側縁２が溶断され、プラスチックフィルム１の一方の側縁２にＶ状ノッチ４が形成される。したがって、熱刃受け８については、エンドレスベルト１５によってそれが保護され、溶断されたプラスチックフィルム１が熱刃受け８の上面にくっつくことはない。エンドレスベルト１５はテフロンシートからなり、その剥離性が高く、溶断されたプラスチックフィルム１がエンドレスベルト１５にくっつくこともない。
【００１３】
さらに、この装置では、プラスチックフィルム１の一方の側縁２が溶断され、Ｖ状ノッチ４が形成されるとき、モータ２４によってタイミングベルト２１が駆動され、キャリジ１８、へら１７およびへら受け１９がプラスチックフィルム１の一方の側縁２に向かって前進する。その方向はエンドレスベルト１５の長さ方向であり、プラスチックフィルム１の幅方向である。キャリジ１８、へら１７およびへら受け１９は図２の実線の位置まで前進する。その後、シリンダ２５によってレバー２６が操作され、揺動し、へら１７が下降する。したがって、図３に示すように、へら１７がＶ状ノッチのかす６に向かって下降し、Ｖ状ノッチのかす６、エンドレスベルト１５およびへら受け１９に押し付けられ、Ｖ状ノッチのかす６およびエンドレスベルト１５がへら１７とへら受け１９間に挟み付けられる。
【００１４】
さらに、プラスチックフィルム１の一方の側縁２の溶断後、モータ２４によってタイミングベルト２１が駆動され、キャリジ１８、へら１７およびへら受け１９がプラスチックフィルム１の一方の側縁２から後退する。その方向はプラスチックフィルム１の幅方向である。したがって、へら１７およびへら受け１９によってＶ状ノッチのかす６およびエンドレスベルト１５が引っ張られる。これによってエンドレスベルト１５が駆動され、プラスチックフィルム１の幅方向において、Ｖ状ノッチのかす６がプラスチックフィルム１の一方の側縁２から引き離される。したがって、Ｖ状ノッチのかす６を確実に引き離すことができる。
【００１５】
さらに、引き続き、へら１７およびへら受け１９によってエンドレスベルト１５が駆動され、Ｖ状ノッチのかす６が搬出され、排出される。キャリジ１８、へら１７およびへら受け１９は図２の鎖線の位置まで後退し、Ｖ状ノッチのかす６はその位置まで搬出される。さらに、へら１７およびへら受け１９の後退後、シリンダ２５によってレバー２６が操作され、揺動し、へら１７がＶ状ノッチのかす６から上昇し、Ｖ状ノッチのかす６およびエンドレスベルト１５はへら１７およびへら受け１９から解放される。
【００１６】
その後、同様の工程が順次交互に繰り返され、プラスチックフィルム１の一方の側縁２の溶断毎に、キャリジ１８、へら１７およびへら受け１９がエンドレスベルト１５に沿って往復移動するが、キャリジ１８、へら１７およびへら受け１９がプラスチックフィルム１の一方の側縁２に向かって前進するとき、へら１７はＶ状ノッチのかす６から上昇しており、エンドレスベルト１５はへら１７およびへら受け１９から解放された状態に保たれる。したがって、キャリジ１８、へら１７およびへら受け１９だけが前進し、エンドレスベルト１５は駆動されず、Ｖ状ノッチのかす６は搬送された位置に保たれる。その後、プラスチックフィルム１の一方の側縁２において、Ｖ状ノッチのかす６およびエンドレスベルト１５がへら１７とへら受け１９間に挟まれ、へら１７およびへら受け１９がプラスチックフィルム１の一方の側縁２から後退するとき、へら１７およびへら受け１９によってエンドレスベルト１５が駆動され、Ｖ状ノッチのかす６がプラスチックフィルム１の一方の側縁２から引き離されるものである。したがって、キャリジ１８の往復移動毎に、エンドレスベルト１５が一方向に駆動され、エンドレスベルト１５によってＶ状ノッチのかす６が搬出され、排出される。したがって、エンドレスベルト１５上において、Ｖ状ノッチのかす６が間隔を置いて配置され、間欠的に搬出され、排出される。その間隔はエンドレスベルト１５の駆動量に対応し、それはキャリジ１８のストロークに対応する。
【００１７】
さらに、プラスチックフィルム１の一方の側縁２が溶断されるとき、Ｖ型熱刃７がプラスチックフィルム１、エンドレスベルト１５および熱刃受け８に押し付けられ、Ｖ型熱刃７およびプラスチックフィルム１によってエンドレスベルト１５が加熱されるが、溶断後、エンドレスベルト１５の駆動にともない、その新しい部分が熱刃受け８の上面に供給され、新しい部分によって熱刃受け８の上面が被覆される。したがって、エンドレスベルト１５が局部的に加熱され、損傷することはない。これに関連し、エンドレスベルト１５の長さとしてキャリジ１８のストロークの整数倍以外の長さが選定されている。したがって、溶断が何回繰り返されても、新しい部分が熱刃受け８の上面に供給され、使用された部分が熱刃受け８の上面に供給されることはなく、再度加熱されることはない。
【００１８】
【発明の効果】
したがって、この発明によれば、Ｖ状ノッチのかす６およびエンドレスベルト１５がへら１７とへら受け１９間に挟み付けられ、へら１７およびへら受け１９によってＶ状ノッチのかす６およびエンドレスベルト１５が引っ張られる。これによってエンドレスベルト１５が駆動され、プラスチックフィルム１の幅方向において、Ｖ状ノッチのかす６がプラスチックフィルム１の一方の側縁２から引き離される。したがって、Ｖ状ノッチのかす６を確実に引き離すことができ、それがプラスチックフィルム１に付着し、そのまま送られることはない。さらに、その後、エンドレスベルト１５によってＶ状ノッチのかす６を搬出し、排出することができ、従来の装置のように、Ｖ状ノッチのかす６を吸引ダクトに吸引する必要もない。Ｖ状ノッチのかす６が吸引ダクトに吸引されず、床面に落下するという問題もない。さらに、この発明によれば、エンドレスベルト１５によって熱刃受け８の上面が被覆され、保護され、溶断されたプラスチックフィルム１が熱刃受け８の上面にくっつくことはない。しかも、溶断後、エンドレスベルト１５の駆動にともない、その新しい部分が熱刃受け８の上面に供給され、新しい部分によって熱刃受け８の上面が被覆される。したがって、エンドレスベルト１５が局部的に加熱され、損傷することもなく、所期の目的を達成することができるものである。
【図面の簡単な説明】
【図１】この発明の実施例を示す平面図である。
【図２】図１の装置の側面図である。
【図３】図２のＶ型熱刃および熱刃受けの断面図である。
【図４】Ｖ状ノッチが形成される状態を示す説明図である。
【符号の説明】
１  プラスチックフィルム
２  一方の側縁
４  Ｖ状ノッチ
６  Ｖ状ノッチのかす
７  Ｖ型熱刃
８  熱刃受け
１５  エンドレスベルト
１７  へら
１８  キャリジ
１９  へら受け
２１  タイミングベルト
２４  モータ
２５  シリンダ
【図１】
0003591944.tif 000002
【図２】
0003591944.tif 000003
【図３】
0003591944.tif 000004
【図４】
0003591944.tif 000005